(57)【特許請求の範囲】
【請求項１】
床面（Ｆ）上に立て並べた支柱（２）に複数の横桟（１０）を平行に掛け渡し、横桟（１０）に沿ってレール部（１１ｂ）で付帯品を支持する支持レール（１１）を取り付けるとともに、上下横桟間（１０）に、上下縁部を内方へ略々角Ｓ字状に折り返して上下端部を凹部（９ａ、９ａ）とした壁パネル（９）を取り付けて床面上に間仕切りパネルを取り付ける構造において、
支柱（２）側面の横桟（１０）が取り付けられる位置に開口部（２ａ）を設けておき、
支持面部（８ａ）とこれと直交した前面部（８ｂ）を有し、支持面部（８ａ）から突片（８ｄ）を突設させて形成されてなる横桟受け（８）を、前記支柱（２）の開口部（２ａ）に突片（８ｄ）を係入させて支柱（２）側面に取り付け、
この横桟受け（８）に、中空管状に設けられているとともにその両側に縁部を凹状に折り返してなるパネル受部（１０ｂ、１０ｂ）を設け且つ長手両端部下側を適宜な幅で切り欠いて形成されてなる横桟（１０）を載せ、
横桟（１０）の切り欠かれた端部を支柱（２）側面に取り付けられた横桟受け（８）に上方から嵌め入れて横桟（１０）を横桟受け（８）に載せ、固着具で横桟受け（８）に留め付けて横桟（１０）を支柱（２）に固定しておき、
この横桟（１０）の下側の壁パネル（９）の上端凹部（９ａ）を横桟（１０）のパネル受部（１０ｂ）に係合させた後、
レール部（１１ｂ）の上面に壁パネル（９）の下端凹部（９ａ）が係合する凸部（１１ｄ）、下面に横桟（１０）のパネル受部（１０ｂ）内に没入し且つ壁パネル（９）の上端凹部（９ａ）が係合する凸部（１１ｅ）を設けて形成された支持レール（１１）を横桟（１０）の上面に重ね、これを横桟（１０）に一体に留め付けて固定することにより、
当該支持レール（１１）の上側に取り付けられる壁パネル（９）が、その下端凹部（９ａ）が支持レール（１１）の凸部（１１ｄ）に係合し、その上端凹部（９ａ）が上方の横桟（１０）のパネル受部（１０ｂ）に係合し支持されて取り付けられるように構成されていることを特徴とする間仕切りパネルの取り付け構造。
【請求項２】
巾木（３）の内側に立て並べた各支柱（２）の側面に横桟受け（８）を取り付け、これら横桟受け（８）で、巾木（３）の上部開口面を覆う幅を有して下向きコ字形に屈曲していて両縁部に上方に折り返した折れ部を設けてなるパネル受けレール（７）を支持し、パネル受けレール（７）の折れ部に最下位の壁パネル（９）の下端部を係合させて壁パネル（９）が取り付けられることを特徴とする請求項１に記載の間仕切りパネルの取り付け構造。
【発明の詳細な説明】
【技術分野】
【０００１】
本発明は、床面上に立て並べた支柱に壁パネルを支持して構成される間仕切りパネルの取り付け構造に関する。
【背景技術】
【０００２】
図５に示されるように、床面Ｆ上に立て並べた支柱１０１、１０１間に複数本の横桟１０２、１０２を平行に掛け渡し、各横桟１０２間に壁パネル１０３を取り付けるとともに、横桟１０２に沿って支持レール１０４を取り付け、支持レール１０４で書棚などの付帯品１０５を支持可能に構成した間仕切りパネル１００が知られている。
このような間仕切りパネル１００の取り付けは、図６及び図７に示されるように、床面に固定した巾木１０６の中に支柱１０１を複数本縦並べ、各支柱１０１、１０１の間に下部横桟１０２ａと上部横桟１０２ｂを掛け渡し、壁パネル１０３の下部を下部横桟１０２ａ、上部を上部横桟１０２ｂでそれぞれ支持して固定し、次いで上部横桟１０２ｂの上面に支持レール１０４を固定し、以降、支持レール１０４の上方に下部横桟１０２ａを取り付け、壁パネル１０３と支持レール１０４とを順次固定することにより行われていた（例えば特許文献１参照）。
【０００３】
【特許文献１】特開２００４−２７０３３０号公報
【発明の開示】
【発明が解決しようとする課題】
【０００４】
図示されるように、従来の間仕切りパネル１００にあっては、１枚の壁パネル１０３を取り付けるために、各支柱１０１間に下部横桟１０２ａと上部横桟１０２ｂの２本の横桟１０２を取り付けなければならず、また、その取り付けは、支柱１０１、１０１の対向両側面にネジ１０７でＬ字金具１０８をそれぞれ固定し、このＬ字金具１０８に横桟１０２を載せ、ネジ１０７で固定して行っていた。そのため、間仕切りパネル１００全体でＬ固着具１０８を留め付ける部位が極めて多く、取り付け作業が煩雑であり、また、支柱１０１間に掛け渡す横桟１０２の固定位置が少しでもずれていると、横桟１０２が傾斜して壁パネル１０３を取り付けることができなくなることから、Ｌ字金具１０８を所定の位置に精度良く固定することが要求され、Ｌ字金具１０８の固定位置を確認し調整しながら取り付ける作業にも手間がかかるものであった。
また、横桟１０２をＬ字金具１０８の上面にネジ留めし、その上に支持レール１０４を重ねてネジ留めし固定するようになっているため、予め支持レール１０４の底面には、横桟１０２を留め付けるネジ１０７のネジ頭が没入する穴を形成しておかなければならず、このような成形品を二次加工する作業が面倒であった。
【０００５】
さらに、支持レール１０４に付帯品１０５である書棚を支持させ、書棚に多数の書籍類を収納した場合、付帯品１０５を介して支持レール１０４及びこれと一体の横桟１０２には大きな荷重がかかる。この場合に、図示した横桟１０２の如く薄肉の鋼材を折り曲げてなるものでは剛性が低いため、横桟１０２が受ける荷重の大きさによっては、横桟１０２が、特に支柱１０１、１０１の中間部分で荷重を受ける側に捩じれるなどの変形を来たすことがあった。
【０００６】
またさらに、図示されるように、支柱１０１の下端にレベル（高さ）調整用のアジャスタ１０９が取付けられているが、アジャスタ１０９の操作は支柱１０１を持ち上げたり倒したりしなくてはならず、また、上方に開口した断面Ｕ字形の巾木１０６内に支柱１０１を複数本立て並べる操作は、アジャスタ１０９の周囲に手を差し入れることができないため、レベル調整は支柱１０１を巾木１０６から一々取り外して行わなければならず面倒であった。
【０００７】
本発明は従来技術の有するこのような問題点に鑑み、剛性の高い横桟を用いて、これを支柱側面の所定の固定位置に簡単に取り付けることができ、間仕切りパネルを簡易な作業手順で施工できるようにすることを課題とする。
【課題を解決するための手段】
【０００８】
前記課題を解決するため本発明は、床面上に立て並べた支柱に複数の横桟を平行に掛け渡し、横桟に沿ってレール部で付帯品を支持する支持レールを取り付けるとともに、上下横桟間に、上下縁部を内方へ略々角Ｓ字状に折り返して上下端部を凹部とした壁パネルを取り付けて床面上に間仕切りパネルを取り付ける構造において、
支柱側面の横桟が取り付けられる位置に開口部を設けておき、
支持面部とこれと直交した前面部を有し、支持面部から突片を突設させて形成されてなる横桟受けを、前記支柱の開口部に突片を係入させて支柱側面に取り付け、
この横桟受けに、中空管状に設けられているとともにその両側に縁部を凹状に折り返してなるパネル受部を設け且つ長手両端部下側を適宜な幅で切り欠いて形成されてなる横桟を載せ、
横桟の切り欠かれた端部を支柱側面に取り付けられた横桟受けに上方から嵌め入れて横桟を横桟受けに載せ、固着具で横桟受けに留め付けて横桟を支柱に固定し、
この横桟の下側の壁パネルの上端凹部を横桟のパネル受部に係合させた後、
レール部の上面に壁パネルの下端凹部が係合する凸部、下面に横桟のパネル受部内に没入し且つ壁パネルの上端凹部が係合する凸部を設けて形成された支持レールを横桟の上面に重ね、これを横桟に一体に留め付けて固定することにより、
当該支持レールの上側に取り付けられる壁パネルが、その下端凹部が支持レールの凸部に係合し、その上端凹部が上方の横桟のパネル受部に係合し支持されて取り付けられるように構成されていることを特徴とする。
これによれば、支柱に形成された開口部に横桟受けの突片を係入させて横桟受けの前面部を支柱側面に接合させ、その位置で横桟受けをネジ止めして支柱に固定し、さらに固定された横桟受けの支持面部に横桟を載せてネジ留めすることにより、横桟を支柱に固定することができる。支柱に形成した開口部に横桟受けの突片が掛止するように設けることで、予め支柱のレベル調整さえ正確に行っておけば、面倒な取り付け位置の確認や調整をすることなしに、簡易な作業で横桟を支柱の間に平行に取り付けることが可能となる。なお、支柱に設ける開口部は、各横桟の取り付け位置に対応させて予め形成される。支柱に対する横桟受けの固定は、支柱を床面に立て並べる前、或いは立て並べてレベル調整した後の何れのときに行ってもよい。
【０００９】
また、前記構造によれば、横桟を中空管状に設けて剛性を高くすることにより、付帯品を介して大きな荷重が横桟にかかったとしても変形がし難くなる。また、横桟の側部に設けたパネル受部に、その下側の壁パネルの上端部が係合し、横桟の上面に支持レールが重合して取り付けられるようにすることで、支柱に対して横桟が正確な固定位置に取り付けてあれば、横桟に沿って組み付けられる壁パネルと支持レールも横桟に平行に取り付けられることとなり、これら各部材の取り付け位置を確認したり調整したりする手間が不要となる。
【００１０】
さらに、前記構造によれば、支持レールの直ぐ上の壁パネルは、その下端部を支持レールの側端部上面凸部に係合させて支持されるので、前記従来例の如き壁パネルの下部を支持するための横桟が不要となり、１枚の壁パネルを取り付けるにあたり、その上下を支持する２本の横桟の取り付けで済み、部材の製造及び取り付けにかかるコストを削減することができる。
【００１１】
またさらに本発明は、巾木の内側に立て並べた各支柱の側面に横桟受けを取り付け、これら横桟受けで、巾木の上部開口面を覆う幅を有して下向きコ字形に屈曲していて両縁部に上方に折り返した折れ部を設けてなるパネル受けレールを支持し、パネル受けレールの折れ部に最下位の壁パネルの下端部を係合させて壁パネルが取り付けられることを特徴とする。
このように、パネル受けレールに最下位の壁パネルの下端部を係合させて支持することで、壁パネルの下端部が外方へ広がることを防ぎ、壁パネルの下端部を巾木表面に沿って面一に納めることができる。
なお、巾木内部における支柱の支持は、巾木内にジャッキボルトで支持された床レールを配し、この床レール上面に支持台座を固定し、この支持台座の外周に支柱下端部を嵌合して立設状態が支持されるように設けることが好ましい。このようにすれば、予め水準器を用いて床レールが水平となるようにジャッキを回転させて調整しておけば、その後、支柱台座で支持させた各支柱はレベル調整された状態で支持されたものとなり、各台座に支柱を嵌めて立て並べる前に、支柱のレベルを簡単な操作で正確に調整することが可能となる。
【発明を実施するための最良の形態】
【００１２】
本発明の好適な一実施形態を図面を参照して説明する。
図１は本発明の一実施形態の間仕切りパネルの要部縦断面図、図２は図１の間仕切りパネルの主要構成部材の外観図、図３は巾木部分の施工工程で部材を取り付ける手順を示した図、図４は支柱に横桟を組み付ける施工工程で部材を取り付ける手順を示した図である。各図において、符号１は間仕切りパネル、２は支柱、３は巾木、４は床レール、５はレールジャッキ、６は支柱台座、７はパネル受けレール、８は横桟受け、９は壁パネル、１０は横桟、１１は支持レール、１２は上面カバー材、１３はネジやビス、ボルトなどの固着具、Ｆは床面をそれぞれ示している。
【００１３】
本形態の間仕切りパネル１は、前記従来技術として図５に示した間仕切りパネル１００と同様に付帯品（図示せず）を支持する支持レール１１を備えており、床面Ｆ上に複数本立て並べた支柱２間に複数本の横桟１０を平行に掛け渡し、各横桟１０に沿って支持レール１１を取り付け、上下の横桟１０間に壁パネル９を取り付けて構成されるものである。
【００１４】
間仕切りパネル１の各構成部材は、先ず、支柱２は、図３及び図４に示されるように、断面正方形の鋼製管体の一側面にスリットを設けた如き形状を呈し、当該スリットが形成された側面及びこれと対向する側面の両側面に、各横桟１０が交差して取り付けられる位置に対応させて、水平に延びた開口部２ａ、２ａを設けて形成してある。また、パネル受けレール７が取り付けられる支柱２の下方の対応側面位置にも開口部２ａ、２ａを設けてある。
【００１５】
巾木３は、長尺鋼板を長手方向に沿って折り曲げ、支柱２よりも若干大きな開口幅で断面コ字状に屈曲した形状に設けてあり、また、床レール４は、同じく長尺鋼板を長手方向に沿って折り曲げ、支柱２と略同じ幅で断面コ字状に屈曲した形状に設けてある。
また、床レール４は、図３に示されるように、その中央面内に支柱２の設置間隔に対応させて複数の開口４ａを所定間隔で設けてあり、各開口４ａにはその下側からレールジャッキ５を螺合し、その上方に支柱２の下端部が外嵌合する支柱台座６を固定してある。支柱台座６は、箱体を半割した形状に形成されており、床レール４の下面からナット５ａを挟んで開口４ａに螺合し、先端を床レール４の上方に突出させてレールジャッキ５のボルト５ｂに一体に締着させてある。
【００１６】
パネル受けレール７は、長尺鋼板を長手方向に沿って折り曲げ、巾木３の開口にぴったりと外嵌合する幅で断面コ字状に屈曲させるとともに、両側縁に外側上方へ折り返した折れ部７ａ、７ａをそれぞれ設けて形成してある。
【００１７】
横桟受け８は、鋼板を折り曲げてなり、図３及び図４に示されるように、支柱２と同幅の支持面部８ａの前端に前面部８ｂ、両側に側面部８ｃ、８ｃをそれぞれ支持面部８ａと直交させて下方に配し、さらに支持面部８ａの先端中央から支柱２の開口部２ａに係入可能な幅の突片８ｄを適宜な幅突出させた形状に設けてある。前面部８ｂと両側面部８ｃには固着具１３を挿通させるための通孔８ｅが複数形成してあり、また、前面部８ｂは隙間を挟んで左右に分離し、それぞれが支柱２の側面内に接合し固着具１３で固定できるようになっている。
【００１８】
壁パネル９は、左右支柱２、２と上下横桟１０、１０との間を覆う大きさに形成された塩ビ鋼板９１の内側に石膏ボード９２を一体に固定して形成してある。また、壁パネル９は、その上下縁部を内方へ略々角Ｓ字状に折り返して上下端部を凹部９ａ、９ａとするとともに、両凹部と石膏ボード９２の間に略々コ字状に屈曲したアルミエッジ材９３を一体に取り付け、アルミエッジ材９３の内側をパネル内方へ突出した掛止凸部９ｂ、９ｂとしてある。
【００１９】
横桟１０は、図４に示されるように、鋼板を折り曲げてなる上板１０Ａの下面に、同じく鋼板をコ字状又は矩形管状に屈曲してなる下板１０Ｂを一体に固着して中空管状に設けてある。より詳しくは、横桟１０は、支柱２、２間に架設可能な長さを有し、支柱２よりも若干幅広な上面１０ａの両側に、縁部を上向きコ字状に折り返してなるパネル受部１０ｂ、１０ｂを側方に張り出して設け、また、上面１０ａ長手の両端部を支柱２の側面が嵌入し得るように切り欠き、さらに当該切り欠いた部分下側の下板１０Ｂの部分を、前記横桟受け８の支持面部８ａの前後寸法よりも若干長く切り欠いてある。上面１０ａの両端部側であって上面１０ａから下折れしたパネル受部１０ｂの側面には固着具１３を挿通させるための通孔１０ｃを設けてある。
【００２０】
支持レール１１は、支柱２、２間に架設可能な長さを有して横桟１０の上面に重なって載るように形成された上面１１ａの両側に、付帯品を支持するレール部１１ｂを側方に張り出して設け、長手両端部に支柱２の外周半面が嵌まり込む凹部１１ｃを設けて形成してある。図１に示されるように、レール部１１ｂの上面は壁パネル９の下端凹部９ａが係合する凸部１１ｄ、下面は横桟１０のパネル受部１０ｂ内に没入し、壁パネル９の上端凹部９ａが係合する凸部１１ｅとしてある。
【００２１】
また、間仕切りパネル１の上部に装着される上面カバー材１２は、長尺鋼板を折り曲げ、その中部部が支持レール１１の上面１１ａに重なって接合し、両側が支持レール１１のレール部１１ｂの上面を覆う湾曲した形状に設けてある。
【００２２】
これらの部材により構成される間仕切りパネル１の施工は、巾木部分の施工工程、支柱２と横桟１０の組み付け工程、壁パネル９と支持レール１１の組み付け工程を経て行われる。
【００２３】
先ず、巾木部分の施工は、図３に示されるように、巾木３を床面Ｆに上向きに設置し、内側から固着具１３を床面Ｆに打ち込んで固定するとともに、巾木３内に、各開口４ａにレールジャッキ５及び支柱台座６が取り付けられた床レール４を設置する。そして、水準器を用いて床レール４上面のレベルを確認し、各レールジャッキ５を適宜回転させて、床レール４の上面が所定の高さで水平となるように調整をする。一方、支柱２には、その両側面の最下端の開口部に突片８ｄを係入して横桟受け８、８を接合させ、これを固着具１３で一体に取り付けておく。
床レール４のレベル調整がされたならば、各支柱２を各支柱台座６に装填して床レール４上に立ち並べる。そして、各支柱２間の横桟受け８、８の上面にパネル受けレール７を載せて支持させ、パネル受けレール７を巾木３の上面に被せるとともに、その両側を巾木３の両側面に接合させて巾木部分の施工が完了する。
【００２４】
巾木部分の施工によって支柱２を床面Ｆ上に立ち並べたならば、図４に示される、支柱２と横桟１０の組み付け工程が行われ、先ず、各支柱２の両側面に横桟受け８、８を取り付ける。取り付けは、支柱２の側面に形成された開口部２ａに横桟受け８の突片８ｄを係入し、横桟受け８の前面部８ｂを支柱２の側面に重ね合わせ、重合面を固着具１３で留め付けて行う。
各支柱２の対向両側面に横桟受け８、８を取り付けたならば、支柱２、２の間に横桟１０をあてがい、前記横桟１０の切り欠かれた両端部を横桟受け８、８に上方から嵌め入れ、横桟１０を横桟受け８、８の支持面部８ａ上に載せ、横桟１０のパネル受部１０ｂの側面と横桟受け８の側面部８ｃの重なり合った部分を固着具１３で留め付けて、横桟１０を横桟受け８、８に一体に固定する。この際、横桟１０の両端部下側が切り欠いてあるので、支柱２、２間に横桟１０を嵌め入れる操作に支障はなく、横桟受け８、８上に横桟１０を容易に載せることができる。
【００２５】
支柱２、２間に横桟１０を掛け渡したならば、壁パネル９と支持レール１１の組み付け工程が行われる。
先ず、図３中の巾木３と横桟１０との間に壁パネル９を取り付ける。取り付けは、壁パネル９の上端の掛止凸部９ｂを横桟１０のパネル受け部１０ｂに係合させる一方、下端の凹部９ａを、パネル受けレール７の折れ部７ａに係合させ、両部材で係合部位を支持させて壁パネル９を取り付ける。
壁パネル９を横桟１０に取り付けたならば、横桟１０の上方において、支持レール１１の両端凹部１１ｃ、１１ｃを支柱２、２の外周半面に嵌め込んで、支持レール１１を横桟１０の上面１０ａに載せ、レール部１１ｂ、１１ｂの下面凸部１１ｅを、前記パネル受部１１ｂに係合した壁パネル９の上端の凹部９ａに係合させる。そして、固着具１３を支持レール１１の上面１１ａから横桟１０にネジ入れて、支持レール１１を横桟１０の上面に一体に固定する。
【００２６】
以降、支柱２、２に取り付けられたこれらの部材の上段に横桟１０を取り付け、同様にして壁パネル９、支持レール１１を順次取り付け、その際、支持レール１１の直ぐ上の壁パネル９の下端部はその凹部９ａをレール部１１ｂの上面凸部１１ｄに係合させて支持させ、そして、最上段の支持レール１１を固定したならば、それに上面カバー材１２を被せ、これを固着具１３で固定することで間仕切りパネル１の施工が完了する。
【００２７】
このように本発明によれば、支柱２間に横桟１０を掛け渡して構成される間仕切りパネル１を、構成部材を簡易な作業で所定の取り付け位置に組み付けて、床面Ｆに取り付けることが可能である。
【００２８】
なお、図示した間仕切りパネルの構造は一例であり、本発明はこれに限定されず、他の適宜な形態に構成可能である。
【図面の簡単な説明】
【００２９】
【図１】本発明の一実施形態の間仕切りパネルの要部縦断面図である。
【図２】図１の間仕切りパネルの主要構成部材の外観図である。
【図３】図１の間仕切りパネルの巾木部分の施工工程で部材を取り付ける手順を示した図である。
【図４】図１の間仕切りパネルの支柱に横桟を組み付ける施工工程で部材を取り付ける手順を示した図である。
【図５】付帯品を支持するための支持レールを備えた間仕切りパネルの外観図である。
【図６】従来の間仕切りパネルの支柱周辺部の部材組み付け図である。
【図７】従来の間仕切りパネルにおける図５中のＶＩＩ−ＶＩＩ線に沿った拡大断面図である。
【符号の説明】
【００３０】
１  間仕切りパネル、２  支柱、３  巾木、４  床レール、５  レールジャッキ、６  支柱台座、７  パネル受けレール、８  横桟受け、９  壁パネル、１０  横桟、１１  支持レール、１２  上面カバー材、１３  固着具、Ｆ  床面
【図１】
0004824472.tif 000002
【図２】
0004824472.tif 000003
【図３】
0004824472.tif 000004
【図４】
0004824472.tif 000005
【図５】
0004824472.tif 000006
【図６】
0004824472.tif 000007
【図７】
0004824472.tif 000008